(57)【要約】【課題】  電源の状態を考慮して録画の失敗を防止することの可能な録画装置を提供することを目的とする。【解決手段】    まず、第１の録画装置２の電源状態を検出して、外部電源２２からの電力の供給がない場合は、内部バッテリ２３により第１の録画装置２へ電力を供給させるように切り替える。第１の録画装置２への電力を供給する電源が内部バッテリ２３に切り替わったら、ネットワーク１を介して録画予約情報を第２の録画装置３へ転送する。第２の録画装置３は第１の録画装置２から転送された録画予約情報を保持し、予約された時刻になったら予約された内容で録画を実行する。このような構成とすることで、第１の録画装置２にＡＣアダプタ等が接続されておらず、外部電源２２から電力の供給がない場合でも、第２の録画装置３に録画情報を転送することで、バッテリ切れによる録画の失敗を防止することができる。【選択図】  図３
2008092211.tif 000002
【特許請求の範囲】
【請求項１】
外部から電源供給を受けて動作するとともに、ネットワーク上に存在する端末装置と通信する通信手段を有する録画装置において、
本体と、
前記本体内部に設けられるバッテリと、
前記本体外部からの電源供給が途絶えたことを検知する検知手段と、
前記検知手段により外部からの電源供給が途絶えたことを検知された時、前記バッテリによる動作に切り替える切替手段と、
テレビ放送を受信する受信手段と、
前記受信手段により受信されたテレビ放送を予約録画する録画手段と、
前記録画手段により予約録画を行なう際の録画予約情報を記憶する記憶手段と、
前記切替手段により前記バッテリによる動作に切り替えられた時、前記通信手段を介して前記記憶手段に記憶された前記録画予約情報を前記端末装置に伝送する伝送手段と、
を備えることを特徴とする録画装置。
【請求項２】
前記記憶手段に記憶された前記録画予約情報に基づいて、録画に必要な動作時間を算出する動作時間算出手段と、
前記バッテリの残量から記録再生装置が稼動可能な時間を算出する稼働時間算出手段と、
前記動作時間と前記稼動時間とを比較する比較手段と、を備え、
前記比較手段により比較した結果、前記稼働時間が前記動作時間よりも長い時、前記バッテリによる動作によって録画を行なうことを特徴とする請求項１記載の録画装置。
【請求項３】
前記記憶手段に記憶された前記録画予約情報に基づいて、録画に必要な動作時間を算出する動作時間算出手段と、
前記バッテリの残量から記録再生装置が稼動可能な時間を算出する稼働時間算出手段と、
前記動作時間と前記稼動時間とを比較する比較手段と、を備え、
前記比較手段により比較した結果、前記稼動時間が前記動作時間よりも短い時、前記通信手段を用いて前記端末装置に前記録画予約情報を転送することを特徴とする請求項１記載の録画装置。
【請求項４】
前記記憶手段に記憶された前記録画予約情報に基づいて、録画に必要な動作時間を算出する動作時間算出手段と、
前記バッテリの残量から記録再生装置が稼動可能な時間を算出する稼働時間算出手段と、
前記動作時間と前記稼動時間とを比較する比較手段と、
前記ネットワーク上に存在し番組情報を有するサイトから、前記番組情報を取得する番組情報取得手段と、
前記比較手段により比較した結果、前記稼働時間が前記動作時間よりも短い時に、前記録画予約情報に含まれる番組と同一の番組が前記サイトに存在するか否かを検索する検索手段と、
前記検索手段により検索された結果、前記稼働可能な時間内に前記録画予約情報に含まれる番組と同一の番組が存在する時に、前記録画予約情報を書き換える書換手段と、
を備えることを特徴とする請求項１記載の録画装置。
【請求項５】
外部から電源供給を受けて動作するとともに、ネットワーク上に存在する端末装置と通信する通信手段を有する録画装置を用いた録画方法において、
外部からの電源供給が途絶えたことを検知し、
外部からの電源供給が途絶えたことを検知された時、バッテリによる動作に切り替え、
予約録画を行なう際の録画予約情報を記憶し、
前記バッテリによる動作に切り替えられた時、前記通信手段を介して前記記憶された前記録画予約情報を前記端末装置に伝送することを特徴とする録画方法。
【請求項６】
前記記憶された前記録画予約情報に基づいて、録画に必要な動作時間を算出し、
前記バッテリの残量から記録再生装置が稼動可能な時間を算出し、
前記算出された動作時間と前記稼動時間とを比較し、
前記稼働時間が前記動作時間よりも長い時、前記バッテリによる動作によって録画を行なうことを特徴とする請求項５記載の録画方法。
【請求項７】
前記記憶された前記録画予約情報に基づいて、録画に必要な動作時間を算出し、
前記バッテリの残量から記録再生装置が稼動可能な時間を算出し、
前記算出された動作時間と前記稼動時間とを比較し、
前記稼動時間が前記動作時間よりも長い時、前記通信手段を用いて前記端末装置に前記録画予約情報を転送することを特徴とする請求項５記載の録画方法。
【請求項８】
前記記憶された前記録画予約情報に基づいて、録画に必要な動作時間を算出し、
前記バッテリの残量から記録再生装置が稼動可能な時間を算出し、
前記算出された動作時間と前記稼動時間とを比較し、
前記ネットワーク上に存在し番組情報を有するサイトから、前記番組情報を取得し、
前記算出された動作時間と前記稼働時間とを比較した結果、前記稼働時間が前記動作時間よりも短い時に、前記録画予約情報に含まれる番組と同一の番組が前記サイトに存在するか否かを検索し、
前記検索された結果、前記稼働可能な時間内に前記録画予約情報に含まれる番組と同一の番組が存在する時に、前記録画予約情報を更新することを特徴とする請求項５記載の録画方法。
【発明の詳細な説明】
【技術分野】
【０００１】
本発明は、録画装置に関し、特にネットワークを利用した録画方法に関する。
【背景技術】
【０００２】
テレビ放送を視聴する際には、従来のような据置き型のテレビの他に、近年は持ち運びの可能なポータブルテレビやテレビ放送を受信できる携帯電話などが用いられる。ポータブルテレビや携帯電話はＡＣアダプタ等を介して外部から電源供給を受けるとともに、内蔵されたバッテリにより駆動する。また、これらの機器は受信したテレビ放送を録画できる機能をもったものも多い。
【０００３】
特許文献１には、ポータブルテレビによるテレビ放送の録画に関する技術が記載されている。テレビ放送の録画予約をすると、その時点で外部電源による電源供給があるかどうか判断し、外部電源による電源供給がない場合は、外部電源の接続を促す警告を表示する。警告後に外部電源による電源供給がなされると予約された録画の待機状態に移行する。
【０００４】
電池電源のまま録画予約の待機状態に移行してしまうことを回避し、電池電源と外部電源に対応した録画装置で、電源環境が容易に変化しうる環境下でも、確実に予約記録を実行することができる。  
【特許文献１】特開２００４−３６４１１７号公報
【発明の開示】
【発明が解決しようとする課題】
【０００５】
しかし、上記の方式の場合、ユーザが録画装置の傍にいない場合、録画装置から発せられる警告に気付かず、外部電源の供給がされないことがある。外部電源が供給されないまま、電池を消耗し、予約した録画に失敗する可能性がある。
【０００６】
そこで本発明の目的は、電源の状態を考慮して録画の失敗を防止することの可能な録画装置を提供することにある。
【課題を解決するための手段】
【０００７】
上記目的を達成するために本発明に係る録画装置は、外部から電源供給を受けて動作するとともに、ネットワーク上に存在する端末装置と通信する通信手段を有する録画装置において、本体と、前記本体内部に設けられるバッテリと、前記本体外部からの電源供給が途絶えたことを検知する検知手段と、前記検知手段により外部からの電源供給が途絶えたことを検知された時、前記バッテリによる動作に切り替える切替手段と、テレビ放送を受信する受信手段と、前記受信手段により受信されたテレビ放送を予約録画する録画手段と、前記録画手段により予約録画を行なう際の録画予約情報を記憶する記憶手段と、前記切替手段により前記バッテリによる動作に切り替えられた時、前記通信手段を介して前記記憶手段に記憶された前記録画予約情報を前記端末装置に伝送する伝送手段と、を備えることを特徴とする。
【０００８】
上記目的を達成するために本発明に係る録画方法は、外部から電源供給を受けて動作するとともに、ネットワーク上に存在する端末装置と通信する通信手段を有する録画装置を用いた録画方法において、外部からの電源供給が途絶えたことを検知し、外部からの電源供給が途絶えたことを検知された時、バッテリによる動作に切り替え、予約録画を行なう際の録画予約情報を記憶し、前記バッテリによる動作に切り替えられた時、前記通信手段を介して前記記憶された前記録画予約情報を前記端末装置に伝送することを特徴とする。
【発明の効果】
【０００９】
本発明によれば、電源の状態を考慮して録画の失敗を防止することの可能な録画装置を提供することができる。
【発明を実施するための最良の形態】
【００１０】
以下本発明に係る実施の形態を、図面を参照して説明する。
【００１１】
図１は本発明の実施形態に係るネットワークの構成を示す図である。ネットワーク１は例えばホームネットワークシステムを構成するＬＡＮ等のネットワークである。ネットワーク１は有線でも無線でも良い。ネットワーク１には第１の録画装置２および第２の録画装置３が接続されている。ネットワーク１に接続される録画装置は２つに限られないが、ここでは２つの場合を例に説明する。また、以下の説明において第１の録画装置２と、第２の録画装置３とを区別する必要のない場合は、単に録画装置２と記述して説明する。
【００１２】
第１の録画装置２および第２の録画装置３は、テレビ放送を録画することの可能な装置であり、例としてＤＶＤレコーダや、テレビ放送を受信、録画することが可能な携帯電話端末、ノート型コンピュータ等が挙げられる。録画装置２、３はネットワーク１上においてＵＰＮＰ（Ｕｎｉｖｅｒｓａｌ  Ｐｌｕｇ  ａｎｄ  Ｐｌａｙ）に基づき機器情報の通信および録画予約情報の通信を行う。
【００１３】
図２は本発明の実施形態に係る録画装置の構成を示すブロック図である。録画装置２に設けられる各構成要素はバスを介してＭＰＵ１０に接続されＭＰＵ１０により制御される。ＭＰＵ１０はＲＯＭ１１やＲＡＭ１２に記録されたプログラムを実行する。ＲＯＭ１１は読み出し専用の記憶装置であり、書き換えの必要のない情報が記憶される。ＲＡＭ１２は、プログラムを起動してデータ加工をする際の一時的な情報等が記憶される。ＨＤＤ１３は各種ソフトウェア及びデータを格納するストレージデバイスである。また、ＨＤＤ１３には録画予約情報も格納される。録画予約情報は、録画を行なうテレビ放送の放送日時、チャンネル、画質、ビットレート等の情報を含む。
【００１４】
アンテナ１４は、テレビ局などから送信されるテレビ放送を受信するのに用いられる。チューナー１５は、テレビ放送を受信・選局し、音声・映像信号を得るのに用いられる。
【００１５】
エンコーダ１６は映像データの符号化を行なう。エンコーダ１６により符号化された映像データはＨＤＤ１３に記憶される。デコーダ１７は、符号化された映像データの復号化を行なう。
【００１６】
外部Ｉ／Ｆ１８は、デコーダ１７により復号化された映像データを、ＴＶ１９に出力できる信号形式に変換する。入力デバイス２０は、ユーザが録画装置２を操作するためのボタンやキー等である。
【００１７】
ＲＴＣ（Ｒｅａｌ  Ｔｉｍｅ  Ｃｌｏｃｋ）２１は計時専用のチップである。ＲＴＣ２１は、録画装置２の電源が切られている間も、ＲＴＣ２１に内蔵された電池から電源供給を受けて動作している。録画装置２の電源が入っている間は外部電源２２から電力供給を受ける。録画装置２はＲＴＣ２１から日時を取得することができる。
【００１８】
外部電源２２はＡＣアダプタ等を介して外部から録画装置２内に電力を供給する。内部バッテリ２３は録画装置２に内蔵され、外部電源２２からの電力供給が途絶えた時に電力を供給する。外部電源２２により電力が供給されている時は、内部バッテリ２３を充電させるようにしても良い。
【００１９】
検出／切替ＩＣ２４は、外部電源２２から電力が供給されているかどうかを検出し、外部電源２２から電力が供給されている時は、外部電源２２により録画装置２へ供給させる。また、外部電源２２から電力が供給されていない時は、内部バッテリ２３により録画装置２へ電力を供給させるように切り替える。
【００２０】
ネットワークＩ／Ｆ２６は、ＬＡＮ等の内部のネットワーク１や、外部のインターネット２７と通信する際の通信経路として利用される。録画装置２は、インターネット２７により、通信プロトコルＴＣＰ／ＩＰを用いて外部のネットワークにある機器と通信することができる。
【００２１】
ＩＥＰＧ（Ｉｎｔｅｒｎｅｔ  Ｅｌｅｃｔｒｏｎｉｃ  Ｐｒｏｇｒａｍ  Ｇｕｉｄｅ）は、インターネット２７を使ったテレビ番組録画予約方式である。ＩEPGサイト２８はインターネットベースで利用することができるようになっており、Weｂブラウザを使って録画予約情報を取得することができる。
【００２２】
図３は第１の録画装置のバッテリ残量に応じて録画予約情報を第２の録画装置に転送する際の動作を示すフローチャートである。
【００２３】
第１の録画装置２が外部電源２２から電源供給を受けていない場合、内蔵された内部バッテリ２３で駆動することになる。この時、録画装置２のＨＤＤ１３等に記憶された録画予約の内容によっては、録画が完了する前に内部バッテリ２３の残量が尽きてしまうことがある。そのため、第１の録画装置２に対して外部電源２２からの電力供給が途絶え、録画予約が正常に行えない時は、第２の録画装置３に録画予約情報を転送する必要がある。
【００２４】
以下に第１の録画装置２のバッテリ残量に応じて録画予約情報を第２の録画装置３に転送する際の動作を具体的に説明する。まず、第１の録画装置２の電源状態を検出する（ステップ１−１）。上述のように、検出／切替ＩＣ２４により第１の録画装置２に外部電源２２から電力が供給されているかどうか検出する。外部電源２２から電力の供給がある場合は（ステップ１−２のＹｅｓ）、録画予約情報を保持したまま待機する（ステップ１−３）。外部電源２２からの電力の供給がない場合は（ステップ１−２のＮｏ）、内部バッテリ２３により第１の録画装置２へ電力を供給させるように切り替える（ステップ１−４）。第１の録画装置２への電力を供給する電源が内部バッテリ２３に切り替わったら、ネットワーク１を介して録画予約情報を第２の録画装置３へ転送する（ステップ１−５）。第２の録画装置３は第１の録画装置２から転送された録画予約情報を保持し、予約された時刻になったら予約された内容で録画を実行する（ステップ１−６）。
【００２５】
このような構成とすることで、第１の録画装置２にＡＣアダプタ等が接続されておらず、外部電源２２から電力の供給がない場合でも、第２の録画装置３に録画情報を転送することで、バッテリ切れによる録画の失敗を防止することができる。
【００２６】
上記の説明では、第１の録画装置２から第２の録画装置３へ録画予約情報を転送する例を説明したが、第３の録画装置がある場合には録画予約情報を第３の録画装置に転送するようにしても良い。また、第２の録画装置の電源状態と第３の録画装置の電源状態を比較した結果によって、第２の録画装置または第３の録画装置のどちらに録画予約情報を転送するかを決定するようにしても良い。
【００２７】
図４および図５は本発明の第２の実施形態に係る録画の動作を示すフローチャートである。第２の実施形態においても、第１の実施形態と同様に、第１の録画装置２に対して外部電源２２からの電力供給が途絶えた時は、録画予約が正常に行なわれるように、第２の録画装置３に録画予約情報を転送する。ここでは、内部バッテリ２３の残量に応じて、第１の録画装置２により録画するか第２の録画装置３により録画するかを決める。
【００２８】
以下に第２の実施形態に係る録画の動作を具体的に説明する。なお、ステップ２−１からステップ２−４までの動作は第１の実施形態におけるステップ１−１からステップ１−４までの動作と同様なので説明を省略する。
【００２９】
第１の録画装置２の電源供給を内部バッテリ２３に切り替えると（ステップ２−４）、この時のバッテリ残量を取得する（ステップ２−５）。第１の録画装置２は、取得したバッテリ残量を用いて、第１の録画装置２が稼動可能な時間を算出する（ステップ２−６）。また、第１の録画装置２は、ＨＤＤ１３等に記憶された録画予約情報から、録画が終了するまでに必要とする時間を算出する（ステップ２−７）。この時間は、ＲＴＣ２１を参照して得られた時刻と予約された番組の開始する時刻とを比較することで算出することができる。
【００３０】
録画終了までに必要な動作時間よりも、第１の録画装置２が内部バッテリ２３により稼動するする時間の方が長い場合は（ステップ２−８のＹｅｓ）、第１の録画装置２で録画を行なう（ステップ２−９）。一方、録画終了までに必要な時間よりも、第１の録画装置２が内部バッテリ２３により駆動する時間の方が短い場合は（ステップ２−８のＮｏ）、第１の録画装置２で正常な録画を行なうことはできないので、録画予約情報を第２の録画装置３に転送する（ステップ２−１０）。第２の録画装置３は転送された録画予約情報に基づいて録画を行なう（ステップ２−１１）。
【００３１】
第１の録画装置２にＡＣアダプタ等が接続されておらず、外部電源２２からの供給がない場合でも、内部バッテリ２３で録画が可能な場合は、第１の録画装置２によりそのまま録画する。一方、内部バッテリ２３で録画が不可能である場合は、第２の録画装置３に録画情報を転送し、第２の録画装置３により録画を行なう。このような構成とすることで、バッテリ切れによる録画の失敗を防止することができる。
【００３２】
図６は本発明の第３の実施形態に係る録画の動作を示すフローチャートである。
第３の実施形態においては、第１の録画装置２に対して外部電源２２からの電源供給が途絶えた時は、録画予約が正常に行なわれるように、ＩＥＰＧサイトから番組予約情報を取得し、録画予約情報を書き換えるようにしても良い。内部バッテリ２３の残量に応じて、当初の録画予約情に基づいて第１の録画装置２により録画するか、ＩＥＰＧサイトから番組情報を取得し、録画予約情報を書き換えるかを決める。
【００３３】
以下に第３の実施形態に係る録画の動作を具体的に説明する。なお、第３の実施形態においても図４および図５に示したステップ２−１からステップ２−７までの動作は同様である。従って図６には、第１の録画装置２が稼動可能な時間および録画終了までに必要な時間を算出し、録画に必要な時間よりも内部バッテリ２３による稼動可能な時間が少ない場合の動作を示す。
【００３４】
録画に必要な時間よりも、内部バッテリ２３による稼動可能な時間が少ない場合は、インターネット２７に接続してＩＥＰＧサイト２８にアクセスし番組を検索する（ステップ３−１）。あらかじめ録画予約を行なった番組と同一の番組が、内部バッテリ２３による稼動可能な時間帯に放送される時は（ステップ３−２のＹｅｓ）、ＩＥＰＧサイト２８から番組情報を取得して（ステップ３−３）、録画予約情報を書き換える（ステップ３−４）。予約した時間になったら、書き換えられた録画予約情報に基づいて第１の録画装置２により録画を行なう（ステップ３−５）。
【００３５】
一方、ＩＥＰＧサイト２８を検索しても、内部バッテリ２３による稼動可能な時間帯に、あらかじめ予約したものと同一の番組がない時は（ステップ３−２のＮｏ）、録画予約情報を第２の録画装置３に転送し（ステップ３−６）、第２の録画装置３により録画を行なう（ステップ３−７）。
【００３６】
第１の録画装置２にＡＣアダプタ等が接続されておらず、外部電源２２からの供給がない場合でも、内部バッテリ２３で録画が可能な場合は、第１の録画装置２によりそのまま録画する。一方、内部バッテリ２３で録画が不可能である場合は、ＩＥＰＧサイトを検索し、録画可能な時間帯に同一番組がある場合は、ＩＥＰＧサイトから番組情報を取得し、録画予約情報を書き換える。録画可能な時間帯に同一番組がない場合は、第２の録画装置３に録画情報を転送し、第２の録画装置３により録画を行なう。このような構成とすることで、バッテリ切れによる録画の失敗を防止することができる。
【００３７】
以上の説明のように、本発明を実施した場合、電源の状態を考慮して録画の失敗を防止することの可能な録画装置を提供することができる。
【００３８】
本発明ではその主旨を逸脱しない範囲であれば、上記の実施形態に限定されるものではなく種々の変形が可能である。
【図面の簡単な説明】
【００３９】
【図１】本発明の実施形態に係るネットワークの構成を示す図。
【図２】本発明の実施形態に係る録画装置の構成を示すブロック図。
【図３】第１の録画装置のバッテリ残量に応じて録画予約情報を第２の録画装置に転送する際の動作を示すフローチャート。
【図４】本発明の第２の実施形態に係る録画の動作を示すフローチャート。
【図５】本発明の第２の実施形態に係る録画の動作を示すフローチャート。
【図６】本発明の第３の実施形態に係る録画の動作を示すフローチャート。
【符号の説明】
【００４０】
１…ネットワーク、２…第１の録画装置、３…第２の録画装置、１０…ＭＰＵ、１１…ＲＯＭ、１２…ＲＡＭ、１３…ＨＤＤ、１４…アンテナ、１５…チューナー、１６…エンコーダ、１７…デコーダ、１８…外部Ｉ／Ｆ、１９…ＴＶ、２０…入力デバイス、２１…ＲＴＣ、２２…外部電源、２３…内部バッテリ、２４…検出／切替ＩＣ、２６…ネットワークＩ／Ｆ、２７…インターネット、２８…ＩＥＰＧサイト
【図１】
2008092211.tif 000003
【図２】
2008092211.tif 000004
【図３】
2008092211.tif 000005
【図４】
2008092211.tif 000006
【図５】
2008092211.tif 000007
【図６】
2008092211.tif 000008